(57)【要約】      （修正有）【課題】有線、無線及びこれらを利用した電化製品から発生するプラス電磁波を、マイナス電磁波に変換する装置を提供する。【解決手段】プラス磁場とプラス磁場が接触すると、マイナス磁場に変換される性質を利用する。すなわち、Ａ層のアルミパイプ１２、１３，１４の中に、Ｂ層のチタンパイプ１５を挿入し、前記Ｂ層のチタンパイプの中に、Ｃ個の磁石１６を重ね、Ｎ極を装置の表、Ｓ極を装置の裏として挿入すると、装置の表のＮ極はプラス磁場に変わり、装置の裏のＳ極はマイナス磁場に変わる。装置の表のＮ極のプラス磁場と、有線、無線及び電化製品のプラス磁場が接触すると、プラス磁場はマイナス磁場に変換され、マイナス磁場からはマイナス電磁波が発生する。【選択図】図６
2018050019.tif 000002
【特許請求の範囲】
【請求項１】
Ａ層のアルミパイプの中に、Ｂ層のチタンパイプを挿入し、前記Ｂ層のチタンパイプの中にＣ個の磁石を重ね、Ｎ極を装置の表、Ｓ極を装置の裏として挿入してなる磁場変換装置である。
（Ａ、Ｂ、Ｃは整数）
【発明の詳細な説明】
【技術分野】
【０００１】  本発明は有線、無線及びこれらを利用した電化製品から発生するプラス電磁波をマイナス電磁波に変換することを目的とした磁場変換装置に関するものである。
【背景技術】
【０００２】  従来の科学ではプラス磁場からプラス電磁波が発生しマイナス磁場からマイナスの電磁波が発生している事実が知られていない。
【先行技術文献】
【特許文献】
【０００３】
【特許文献１】  自分の知る限り見当たらない。
【非特許文献】
【０００４】
【非特許文献１】  自分の知る限り見当たらない。
【発明の概要】
【発明が解決しようとする課題】
【０００５】  有線、無線及びこれらを利用した電化製品から発生するプラス電磁波をマイナス電磁波に変換する装置が発明されていない。【０００６】  本発明は、有線、無線及びこれらを利用した電化製品から発生する、プラス電磁波の課題を解決するものであり、プラス電磁波をマイナス電磁波に変換することを目的としたものである。【０００７】  そして、本発明の上記目的を達成するために、Ａ層のアルミパイプの中に、Ｂ層のチタンパイプを挿入し、前記Ｂ層のチタンパイプの中に、Ｃ個の磁石を重ね、Ｎ極を装置の表、Ｓ極を装置の裏として挿入してなる、磁場変換装置である。【０００８】  〔請求項１〕による課題解決による作用は次の通りである。プラス磁場とプラス磁場が接触すると、マイナス磁場に変換される性質を利用する。すなわち、Ａ層のアルミパイプの中に、Ｂ層のチタンパイプを挿入し、前記Ｂ層のチタンパイプの中に、Ｃ個の磁石を重ね、Ｎ極を装置の表、Ｓ極を装置の裏として挿入すると、装置の表のＮ極はプラス磁場に変わり装置の裏のＳ極はマイナス磁場に変わる。装置の表のＮ極のプラス磁場と有線、無線及び電化製品のプラス磁場が接触すると、プラス磁場はマイナス磁場に変換され、マイナス磁場からはマイナス電磁波が発生する。
【発明の効果】
【０００９】  上述したように、この発明の効果を具体的に説明すると、人の生態磁場は、マイナス磁場を形成する動脈と極を形成する左心房、及びプラス磁場を形成する静脈と極を形成する右心房で成り立ち、磁場を形成する電流は、動脈から静脈に向かって流れている、これが正常な人の生態磁場の姿である。有線、無線及びこれらを利用した電化製品から発生するプラス電磁波の問題点は、人の生態磁場がプラス電磁波を浴びると本来動脈から静脈に向かって流れている電流の流れが、静脈から動脈に流れるようになる、この状態を病気と呼ぶ。そこで、磁場変換装置を利用し、プラス磁場をマイナス磁場に変換すると、有線、無線及びこれらを利用した電化製品からマイナス電磁波が発生し、このマイナス電磁波を人の生態磁場が浴びると静脈から動脈に向かって流れていた電流の流れが、
動脈から静脈に向かって流れるようになり、電流の流れが元に戻る、この状態を元気になると言う。このようにして、磁場変換装置を利用することで電流の流れが元に戻り、問題点が解決され人の生態磁場を正常な姿に戻す効果が生まれる。
【図面の簡単な説明】
【００１０】
【図１】  〔請求項１〕の無線外部装着用磁場変換装置の外観図
【図２】  〔請求項１〕の無線外部装着用磁場変換装置の断面図
【図３】  〔請求項１〕の無線内蔵用磁場変換装置の外観図
【図４】  〔請求項１〕の無線内蔵用磁場変換装置の断面図
【図５】  〔請求項１〕の有線用磁場変換装置の外観図
【図６】  〔請求項１〕の有線用磁場変換装置の断面図
【発明を実施するための形態】
【００１１】  以下本発明の実施形態を図１〜図６に基づいて説明する。
【００１２】  図１は〔請求項１〕の無線外部装着用磁場変換装置▲１▼の外観図である。
【００１３】  図２において、外径直径８ミリ、内径直径７、５ミリ、長さ３５ミリのアルミパイプ▲２▼に外径直径７ミリ、内径直径６、５ミリ、長さ３５ミリのアルミパイプ▲３▼を挿入し、前記アルミパイプ▲３▼に外径直径６ミリ、内径直径５、５ミリ、長さ３５ミリのチタンパイプ▲４▼を挿入する。前記チタンパイプ▲４▼に直径５ミリ、厚さ５ミリの磁石５個▲５▼を重ね、Ｎ極を装置の表、Ｓ極を装置の裏として、前記チタンパイプ▲４▼に挿入してなる〔請求項１〕の無線外部装着用磁場変換装置▲１▼である。無線外部装着用磁場変換装置▲１▼を携帯電話、パソコン、ゲーム機等に外部装着することで、無線外部装着用磁場変換装置▲１▼のＮ極から発生するプラス磁場と携帯電話、パソコン、ゲーム機等から発生するプラス磁場が接触することでプラス磁場はマイナス磁場に変換され、プラス電磁波もマイナス電磁波に変わる。図２は、無線外部装着用磁場変換装置▲１▼の断面図である。
【００１４】  図３は〔請求項１〕の無線内蔵用磁場変換装置▲６▼の外観図である。
【００１５】  図４において、外径直径６ミリ、内径直径５、５ミリ、長さ２０ミリのアルミパイプ▲７▼に外径直径５ミリ、内径直径４、５ミリ、長さ２０ミリのアルミパイプ▲８▼を挿入し、前記アルミパイプ▲８▼に外径直径４ミリ、内径直径３、５ミリ、長さ２０ミリのチタンパイプ▲９▼を挿入する。前記チタンパイプ▲９▼に直径３ミリ、厚さ３ミリの磁石５個▲１０▼を重ね、Ｎ極を装置の表、Ｓ極を装置の裏として、前記チタンパイプ▲９▼に挿入してなる〔請求項１〕の無線内蔵用磁場変換装置▲６▼である。無線内蔵用磁場変換装置▲６▼を携帯電話、パソコン、ゲーム機等に内蔵することで、無線内蔵用磁場変換装置▲６▼のＮ極から発生するプラス磁場と携帯電話、パソコン、ゲーム機等の内部で発生するプラス磁場が接触することでプラス磁場はマイナス磁場に変換され、プラス電磁波もマイナス電磁波に変わる。図４は、無線内蔵用磁場変換装置▲６▼の断面図である。
【００１６】  図５は〔請求項１〕の有線用磁場変換装置▲１１▼の外観図である。
【００１７】  図６において、外径直径１８ミリ、内径直径１７ミリ、長さ１２０ミリのアルミパイプ▲１２▼に外径直径１６ミリ、内径直径１５ミリ、長さ１２０ミリのアルミパイプ▲１３▼を挿入し、前記アルミパイプ▲１３▼に外径直径１４ミリ、内径直径１３ミリ、長さ１２０ミリのアルミパイプ▲１４▼を挿入し、前記アルミパイプ▲１４▼に外径直径１２ミリ、内径直径１１ミリ、長さ１２０ミリのチタンパイプ▲１５▼を挿入する。前記チタンパイプ▲１５▼に直径１０ミリ、厚さ５ミリの磁石２０個▲１６▼を重ね、
Ｎ極を装置の表、Ｓ極を装置の裏として、前記チタンパイプ▲９▼に挿入してなる〔請求項１〕の有線用磁場変換装置▲１１▼である。有線用磁場変換装置▲１１▼をブレーカーボックス内に装着すると、有線用磁場変換装置▲１１▼のＮ極から発生するプラス磁場と、ブレーカーボックス内の有線から発生するプラス磁場が接触することで、ブレーカーボックス内及びブレーカーボックスより先の配線から発生するプラス磁場がマイナス磁場に変換され、有線に装着されている電化製品もマイナス磁場に変換される。そして、プラス電磁波もマイナス電磁波に変わる。ただし、電化製品は異なる電磁波数値を持っているため磁石を２０個使用した。図６は有線用磁場変換装置▲１１▼の断面図である。
【符号の説明】
【００１８】〔請求項１〕の無線外部装着用磁場変換装置・・・▲１▼
外径直径８ミリ、内径直径７、５ミリ、長さ３５ミリのアルミパイプ・・・▲２▼
外径直径７ミリ、内径直径６、５ミリ、長さ３５ミリのアルミパイプ・・・▲３▼
外径直径６ミリ、内径直径５、５ミリ、長さ３５ミリのチタンパイプ・・・▲４▼
直径５ミリ、厚さ５ミリの磁石５個・・・▲５▼
〔請求項１〕の無線内蔵用磁場変換装置・・・▲６▼
外径直径６ミリ、内径直径５、５ミリ、長さ２０ミリのアルミパイプ・・・▲７▼
外径直径５ミリ、内径直径４、５ミリ、長さ２０ミリのアルミパイプ・・・▲８▼
外径直径４ミリ、内径直径３、５ミリ、長さ２０ミリのチタンパイプ・・・▲９▼
直径３ミリ、厚さ３ミリの磁石５個・・・▲１０▼
〔請求項１〕の有線用磁場変換装置・・・▲１１▼
外径直径１８ミリ、内径直径１７ミリ、長さ１２０ミリのアルミパイプ・・・▲１２▼
外径直径１６ミリ、内径直径１５ミリ、長さ１２０ミリのアルミパイプ・・・▲１３▼
外径直径１４ミリ、内径直径１３ミリ、長さ１２０ミリのアルミパイプ・・・▲１４▼
外径直径１２ミリ、内径直径１１ミリ、長さ１２０ミリのチタンパイプ・・・▲１５▼
直径１０ミリ、厚さ５ミリの磁石２０個・・・▲１６▼
【図１】
2018050019.tif 000003
【図２】
2018050019.tif 000004
【図３】
2018050019.tif 000005
【図４】
2018050019.tif 000006
【図５】
2018050019.tif 000007
【図６】
2018050019.tif 000008